(57)【要約】【課題】  容器にしっかり固定され、転倒しても内容物が容易に流出しない蓋体及び容器を提供する。【解決手段】本発明の蓋体１は、容器２の開口部３を閉塞する平板部４と、平板部４の外縁から延びる、容器２の口部６の外周面12を覆う外筒部５と、平板部４の外筒部５より内側に設けられた、口部の内周面７に対面する内筒部８と、外筒部５の下端部から略全周にわたって内方に突き出した外筒突起部９と、内筒部８の下端部から略全周にわたって外方に突き出した内筒突起部10とを備える。容器２は、口部の外周面12に外周係合部13を備え、内周面に内周係合部14を備える。そして、外周突起部13と外周係合部13、内筒突起部10と内周係合部14とが係合する。この構造によると、蓋体１と容器２とが容器２の内周と外周との二重の係合で固定される。従って、容器２が転倒しても内容物が容易に流出する可能性が少ない。【選択図】  図２
2005231719.tif 000002
【特許請求の範囲】
【請求項１】
容器の開口部を閉塞する平板部と、
前記平板部の外縁から下方に延びる、容器の口部の外周面を覆う外筒部と、
前記平板部の、前記外筒部より内側に設けられた、前記口部の内周面に対面する内筒部と、を備え、
更に、前記外筒部の下端部に、略全周にわたって内方に突き出した外筒突起部を備え、前記外筒突起部が前記口部の外周面に設けられた外周係合部に係合するようになっており、
前記内筒部の下端部に、略全周にわたって外方に突き出した内筒突起部を備え、前記内筒突起部が前記口部の内周面に設けられた内周係合部と係合するようになっていることを特徴とする蓋体。
【請求項２】
口部の外周面に、略全周にわたって前記外筒突起部と係合するための外周係合部を備え、
前記口部の内周面に、略全周にわたって、前記内筒突起部と係合するための内周係合部を備えることを特徴とする請求項１に記載の蓋体が装着される容器。
【請求項３】
前記外周係合部が、前記容器の底部から前記開口部に向かう方向にステップ状に径が増加するように形成された外周段部であることを特徴とする請求項２に記載の容器。
【請求項４】
前記内周係合部が、前記口部の内周面に設けられた、内方に突き出す内周段部であり、
前記蓋体の前記内筒突起部の頂部に溝が設けられ、
前記溝に前記内周段部が嵌合するようになっていることを特徴とする請求項１に記載の蓋体。
【請求項５】
前記蓋体の前記内筒突起部の頂部に溝が設けられており、
前記内周係合部が、前記口部の内周面に設けられた、容器内方に突き出す内周段部であり、
前記溝に前記内周段部が嵌合するようになっていることを特徴とする請求項２又は３に記載の容器。
【請求項６】
前記内周係合部は、前記口部の内径を前記容器の底部から前記開口部に向かう方向に漸減させた後漸増させて形成した角部であり、
前記蓋体の前記内筒突起部の頂部に溝が設けられ、
前記溝に前記角部が嵌合するようになっていることを特徴とする請求項１に記載の蓋体。
【請求項７】
前記蓋体の前記内筒突起部の頂部に溝が設けられており、
前記内周係合部が、前記容器口部の内径を前記容器の底部から前記開口部に向かう方向に漸減した後漸増して形成された角部であり、
前記蓋体が装着された時に、前記溝に前記角部が嵌合するようになっていることを特徴とする請求項２又は３に記載の容器。
【発明の詳細な説明】
【技術分野】
【０００１】
本発明は、蓋体及びその蓋体が装着される容器に関し、特に牛乳瓶などの液体用の容器の蓋体及び容器に関する。
【背景技術】
【０００２】
従来、牛乳瓶等の容器の蓋体としては、容器の口部を被覆する天板（本願の平板部に相当）と、その天板を支持して容器の口部の内周面面に対面する筒状の足部（本願の内筒部に相当）とで一体に形成され、足部の中央部において外周面に沿って外方に突き出した輪状の突起部が設けられ、更に足部の下部において外周面に沿って輪状の凸部（本願の突起部に相当）が設けられているものがあり、当該蓋体の上に、更に筒状の剥離用ミシン目のついた熱収縮性合成樹脂製シールを被せて容器をシールする構造になっている。そして、蓋体の突起部の先端は口部の内周面面に密接され、凸部が口部の内周面面に形成された段部の下部の凹面に密接されるようになっている（例えば特許文献１参照。)。
【特許文献１】特許第３４２１７６７号明細書
【発明の開示】
【発明が解決しようとする課題】
【０００３】
しかし、このような蓋体と容器は、合成樹脂製シールを一旦取り外してしまうと、蓋体と容器とは、足部の凸部と容器内壁の段部の下部の凹面との密接のみで固定されているため、例えば容器が倒れて中の液体で足部が押されると容易に蓋体がはずれ、内部の液体が流出してしまう。また、蓋体が上から押されると足部も容易に下がり、容器と足部との間に隙間が開き、液体がより流出しやすくなるという問題がある。従って、熱収縮性合成樹脂製シールが不可欠であり、当該シールのための余分な材料及び工程がかかる。また、上記輪状の突起部が、蓋を何度か開閉している際に折れてしまい、破片が内部の液体中に落下してしまうという問題もある。
【０００４】
本発明はこのような課題を解決するためになされたもので、しっかり固定され、転倒しても内容物が容易に流出することがない蓋体及びその蓋体が装着される容器を提供することを目的とする。
【課題を解決するための手段】
【０００５】
上記目的を達成するために、請求項１に記載の蓋体は、容器の開口部を閉塞する平板部と、前記平板部の外縁から下方に延びる、容器の口部の外周面を覆う外筒部と、前記平板部の、前記外筒部より内側に設けられた、前記口部の内周面に対面する内筒部と、を備え、更に、前記外筒部の下端部に、略全周にわたって内方に突き出した外筒突起部を備え、前記外筒突起部が前記口部の外周面に設けられた外周係合部に係合するようになっており、前記内筒部の下端部に、略全周にわたって外方に突き出した内筒突起部を備え、前記内筒突起部が前記口部の内周面に設けられた内周係合部と係合するようになっていることを特徴とする。
【０００６】
また、請求項２に記載の、請求項１に記載の蓋体が装着される容器は、口部の外周面に、略全周にわたって前記外筒突起部と係合するための外周係合部を備え、前記口部の内周面に、略全周にわたって、前記内筒突起部と係合するための内周係合部を備えることを特徴とする。
【０００７】
これらの蓋体及び容器によると、蓋体を容器に装着した時に、蓋体の内筒突起部と容器の内周係合部との略全周にわたる係合、及び、蓋体の外筒突起部と容器の外周係合部との略全周にわたる係合、という二重の係合で固定される。
【０００８】
請求項３に記載の容器は、請求項２に記載の容器において、前記外周係合部が、前記容器の底部から前記開口部に向かう方向にステップ状に径が増加するように形成された外周段部であることを特徴とする。
【０００９】
この蓋体によると、蓋体を容器に装着した時に、蓋体の外筒突起部が外周段部に掛合される。
【００１０】
請求項４に記載の蓋体は、請求項１に記載の蓋体において、前記内周係合部が、前記口部の内周面に設けられた、内方に突き出す内周段部であり、前記蓋体の前記内筒突起部の頂部に溝が設けられ、前記溝に前記内周段部が嵌合するようになっていることを特徴とする。
【００１１】
また、請求項５に記載の容器は、請求項２又は３に記載の容器において、前記蓋体の前記内筒突起部の頂部に溝が設けられており、前記内周係合部が、前記口部の内周面に設けられた、容器内方に突き出す内周段部であり、前記溝に前記内周段部が嵌合するようになっていることを特徴とする。
【００１２】
これらの蓋体及び容器によると、蓋体を容器に装着した時に、蓋体の前記内筒突起部の頂部に設けられた溝に内周段部の先端が嵌合される。
【００１３】
請求項６によると、請求項１に記載の蓋体において、前記内周係合部は、前記口部の内径を前記容器の底部から前記開口部に向かう方向に漸減させた後漸増させて形成した角部であり、前記蓋体の前記内筒突起部の頂部に溝が設けられ、前記溝に前記角部が嵌合するようになっていることを特徴とする。
【００１４】
また、請求項７によると、請求項２又は３に記載の容器において、前記蓋体の前記内筒突起部の頂部に溝が設けられており、前記内周係合部が、前記容器口部の内径を前記容器の底部から前記開口部に向かう方向に漸減した後漸増して形成された角部であり、前記蓋体が装着された時に、前記溝に前記角部が嵌合するようになっていることを特徴とする。
【００１５】
これらの蓋体及び容器によると、蓋体を容器に装着した時に、前記蓋体の前記内筒突起部の頂部に設けられた溝に、前記角部の先端がはめ込まれる。
【発明の効果】
【００１６】
本発明の請求項１及び２に記載の蓋体及びその蓋体が装着される容器によると、蓋体を容器に装着した時に、両者が二重に固定されるので、容器が転倒しても内容物が容易に流出する可能性が少ない。ゆえに、熱収縮性合成樹脂製シール等の更なるシール構造が不要である。
【００１７】
本発明の請求項３に記載の容器によると、外周係合部と外筒突起部との間の係合を簡単な構造で提供することができ、製造コストが安価ですむ。
【００１８】
本発明の請求項４及び５に記載の蓋体及びその蓋体が装着される容器によると、蓋体に上部から力が加わった場合に、内筒突起部の溝と内周段部が係合しているため、内筒が上下に移動しにくい。ゆえに、当該溝と内周段部との隙間から液体等の内容物が漏れにくく、密閉性の高い容器及び蓋体構造を提供することができる。また、その構造は、容器内周に内周段部、蓋体の内筒突起部に溝を設けるという簡単な構造で提供することができ、製造コストが安価ですむ。
【００１９】
本発明の請求項６及び７に記載の蓋体及びその蓋体が装着される容器によると、上記請求項４及び５の効果と同様に、蓋体に上部から力が加わった場合に、内筒突起部の溝と内周の角部が係合しているため、内筒が上下に移動しにくい。ゆえに、当該角部と内周段部との隙間から液体等の内容物が漏れにくく、密閉性の高い容器と蓋体との構造を提供することができる。また、その構造は、容器内周に角部、蓋体の内筒突起部に溝を設けるという簡単な構造で提供することができ、製造コストが安価で済む。また、この係合を、口部内壁に段部を設けずに達成しているため、汚れが溜まりにくい。
【発明を実施するための最良の形態】
【００２０】
以下、本発明による蓋体及びその蓋体が装着される容器の好適な実施形態について、キャップ１と牛乳瓶２を例にして添付図面を参照しながら説明する。ただし、本発明は牛乳瓶２とそのキャップ１に限定されるものではなく、他の液体用の瓶であってもよく、また瓶以外の他の容器であってもよい。なお、本明細書において、瓶２の上下とは、瓶２の開口方向を上とした場合の上下をいい、キャップ１の上下とは、当該キャップ１を瓶２に装着した状態を基準にしたものである。
【００２１】
図１は本発明の第１実施形態にかかる、キャップ１及びそのキャップ１が装着された瓶２の上部を示した部分断面図であり、図２は図１のキャップ１と瓶２との係合部の拡大図である。ここで、これらの平板部４、外筒部５、及び内筒部８は、安価且つ容易に製造できる等の理由により、ポリエチレン等の合成樹脂で一体形成されているが、これに限定されず、他の材料で形成されてもよい。また、瓶２はガラス製であるが、これに限定されず、他の材料で形成されてもよい。
【００２２】
図示のように、キャップ１は、瓶２の開口部３を閉塞する平板部４と、その平板部４の外縁部から垂下して延びる外筒部５と、平板部４の外筒部５内側に設けられた、瓶２の口部６の内周面７に対面する内筒部８とを備える。
【００２３】
キャップ１の外筒部５の下端部は、外筒部５の略全周にわたって僅かにＬ字状曲がり、外筒突起部９を形成している。
【００２４】
この外筒突起部９に対応して、瓶２の口部６の外周面12は、口部６の上面６aから下に向かって滑らかに垂下した後、略直角に内方に曲がり、その後、再度下方に向かって延び、下に向かって径が減少する外周係合部としての外周段部13が形成されている。外周面12は、その後、再度内方に湾曲した後、下方の瓶本体２ａへと続く。
【００２５】
また、キャップ１の内筒部８の下端部は、全周にわたって外方に丸く突き出して内筒突起部10が設けられており、その内筒突起部10の頂部には、断面「フ」の字状の溝11が設けられている。溝11の内面は、下方に向いた溝上面11aと上方を向いた溝下面11bとから構成され、内筒突起部10は、溝11より上部の突起部上部10aと、溝11より下部の突起部下部10bとから構成されている。
【００２６】
これに対応して、瓶２の口部６の内周面７は、口部の上面６aから連続して滑らかに垂下した後、略直角に内方に曲がって水平に延び、水平面７ａを形成した後、外方に向かって斜めに下がり傾斜面７ｂを形成しており、口部６の全周にわたる内周段部14が画成されている。
【００２７】
次に、本実施形態の作用について説明する。キャップ１を瓶２に載せて上から押していくと、瓶２の外周面12においては、まず、外筒突起部９が、瓶２の外周12の形状に合わせて外方に押されて弾性変形する。そのままキャップを押していくと、外筒突起部９が外部段部13を越え、外方に変形していた外筒突起部９が戻り、外筒突起部９が外部段部13に掛合される。
【００２８】
また、瓶２の内周面７においては、まず、突起部下部10bが内周段部14の先端に接触する。そのままキャップ１を押していくと、突起部下部10bの下面が内周段部14に押されて内方に弾性変形する。そして、更にキャップを押していくと突起部下部10bが内周段部14を越え、内方に変形していた突起部下部10bが戻り、内周段部14が溝11に嵌合される(図１の状態となる)。この場合、それ以上キャップ１を押しても、突起部上部10ａの水平な溝上面11aと瓶２の内周の水平面７aとが接しているため、キャップ１は下がらない。このようにして、キャップの外筒部５及び内筒部８と、瓶２の口部６との係合によって、キャップ１が瓶２に固定される。
【００２９】
キャップ１を取り外す場合は、外筒突起部９を指先で上方に押して、外周段部13との掛合を解除する。この場合、掛合は僅かであるので、外筒部５を容易に上方に移動することができる。また、このままキャップ１を上昇させると、内筒突起部10の下部10bは、瓶２の内周７の傾斜面７ｂを滑りながら内方に弾性変形され、内周段部14と内筒突起部10の溝11との嵌合が解除され、キャップ１が外れる。
【００３０】
以上、本実施形態によると、キャップ１と瓶２とが、キャップ１の内筒突起部８と瓶２の内周段部14との略全周にわたる嵌合、及び、キャップ１の外筒突起部８と瓶２の外周段部13との略全周にわたる掛合、という二重の係合で固定される。また、瓶２が倒れて内部の液体等によってキャップ１に内部から力が加わった場合、溝11の下部10bの上面と、傾斜面７ｂと密着より液体の流出が防止される。従って、容器が転倒しても内容物が流出する可能性が少ない。
【００３１】
また、キャップ１の外筒突起部９と瓶２の外周段部13との掛合は、上に向かってステップ状に瓶２の径を増加して形成した外周段部13を設け、それに外筒突起部９を掛合するという簡単な構造で達成され、また、キャップ１の内筒突起部８と瓶２の内周段部14との略全周にわたる嵌合は、口部の内周面７に内方に突き出す内周段部14を設け、キャップ１の内筒突起部８の頂部に溝11を設け、当該溝11に内周14段部を嵌合するという簡単な構造で達成できる。このように固定されると、キャップ１に上部から力が加わった場合に、内筒突起部10の溝11と内周段部14が嵌合しているため、内筒部８が上下に移動しにくい。ゆえに、当該溝11と内周段部14との隙間から牛乳等の内容物が漏れにくく、瓶２とキャップ１との間に高い密閉性を提供することができる。従ってこの点においても製造コストを低減することができる。
【００３２】
次に、本発明の第２実施形態について説明する。図２は第２実施形態にかかる、キャップ21及びそのキャップ21が装着される瓶22を示した部分断面図である。本実施形態と、第１実施形態の瓶２との相違点は、瓶22の口部26の内周面27に内周段部14(図１参照)が設けられていない点であり、その代わりに内周面27は、下から上に内径が漸減した後、漸増して開口部23に至る形状を有し、その結果、内周面27には約９０°の角部38が形成されている。また、キャップ21の内筒突起部30には、当該角部28の形状を受けるように溝31が設けられている。
【００３３】
また、本実施形態と第１実施形態のキャップ１との相違点は、溝31の形状が上記角部38を受けるために、断面逆「く」の字型になっている点である。
【００３４】
本実施形態の作用効果も第１実施形態と略同様であるが、キャップ21を瓶22に装着すると、瓶22の角部38がキャップ21の溝31に嵌合される点が異なる。そして、更に瓶２の口部26の内周面27に、第１実施形態のような凹部が存在しないため、汚れが溜まりにくいという効果がある。
【００３５】
次に、本発明の第３実施形態について説明する。図３は第３実施形態にかかる、キャップ41及びそのキャップ41が装着された瓶42を示した部分断面図である。本実施形態と、第１実施形態にかかる発明との相違点は、瓶42の内周段部54の下面55が凸面を形成し、内筒部48に設けられた溝51が当該凸面を受ける形状をしている点である。
【００３６】
本実施形態の作用効果は第１実施形態と略同様であるが、瓶42の内周段部54の下面55が凸面であり、内筒部48に設けられた溝51が当該凸面を受ける形状を有しているため、両者はより強固に結合し、強い密閉力を得ることができる。従って密閉性が要求される場合に使用することができる。
【００３７】
次に、本発明の第４実施形態について説明する。図４は第４実施形態にかかる、キャップ61及びそのキャップ61が装着された瓶62を示した部分断面図である。本実施形態と、第１実施形態にかかる発明との相違点は、瓶62の内周面67に内周面溝部74が設けられている点であり、キャップ61の内筒部68の内筒突起部70がその溝74に掛合するようになっている点である。
【００３８】
このキャップ61を瓶62に装着すると、外筒突起部69と外周段部73が掛合し、内筒突出部70と内周面溝部74とが掛合し、キャップ61が瓶62に固定される。
【００３９】
これによると、第１実施形態の効果に加え、瓶62及びキャップ61の形状がより単純になるため、容易且つ安価に形成することができる。
【００４０】
なお、本発明は上記実施形態に限定されるものではなく、種々の変更が可能である。
【図面の簡単な説明】
【００４１】
【図１】本発明の第１実施形態のキャップ及び瓶の部分断面図である。
【図２】図１のキャップ及び瓶の係合部の拡大図である。
【図３】本発明の第２実施形態のキャップ及び瓶の係合部の拡大部分断面図である。
【図４】本発明の第３実施形態のキャップ及び瓶の係合部の拡大部分断面図である。
【図５】本発明の第４実施形態のキャップ及び瓶の係合部の拡大部分断面図である。
【符号の説明】
【００４２】
１,21,41,61  キャップ（蓋体）
２,22,42,62  瓶（容器）
４,24,44,64  平板部
５,25,45,65  外筒部
８,28,48,68  内筒部
９,29,49,69  外筒突起部
10,30,50,70  内筒突起部
11,31,51      溝
13,33,53,73  外周段部(外周係合部)
14,54        内周段部
38            角部
74            内周面溝部
【図１】
2005231719.tif 000003
【図２】
2005231719.tif 000004
【図３】
2005231719.tif 000005
【図４】
2005231719.tif 000006
【図５】
2005231719.tif 000007